(57)【要約】対物レンズと接眼レンズとを備えた望遠光学系を各々の内部に保持する一対の鏡筒と、一方の望遠光学系の対物レンズと接眼レンズとの間に一方の望遠光学系の光軸方向へ移動可能に設けられたレチクルと、回転操作によりレチクルを光軸方向へ移動させ、レチクルの光軸方向の位置を調節する調節環と、を備えている双眼鏡。
2009041225.tif 000002
【特許請求の範囲】
【請求項１】
対物レンズと接眼レンズとを備えた望遠光学系を各々の内部に保持する一対の鏡筒と、
一方の前記望遠光学系の対物レンズと接眼レンズとの間に前記一方の望遠光学系の光軸方向へ移動可能に設けられたレチクルと、
回転操作により前記レチクルを前記光軸方向へ移動させ、該レチクルの光軸方向の位置を調節する調節環と、を備えていることを特徴とする双眼鏡。
【請求項２】
前記レチクルは、前記一対の鏡筒に各々保持された望遠光学系相互の視度差を調節する視度調節機構および前記一対の鏡筒に各々保持された前記対物レンズの焦点位置を決める合成焦点距離調節機構から独立して前記光軸方向の位置の調節が可能であることを特徴とする請求項１に記載の双眼鏡。
【請求項３】
前記レチクルはスケールが蒸着された平面ガラスであることを特徴とする請求項２に記載の双眼鏡。
【請求項４】
前記望遠光学系を通した視野は、観察目標物と前記スケールとの両方の焦点が合っていて前記視野内に前記スケールが見える状態と、前記目標物に焦点が合っていて前記視野内に前記スケールが見えない状態との何れの状態にもできることを特徴とする請求項３に記載の双眼鏡。
【請求項５】
前記レチクルを移動させる前記調節環は、前記一方の望遠光学系の前記接眼レンズ側に設けられ、前記一方の光軸を中心に回転可能であることを特徴とする請求項１に記載の双眼鏡。
【発明の詳細な説明】
【技術分野】
【０００１】
本発明は双眼鏡に関する。
【背景技術】
【０００２】
ハンティングやマリンスポーツの分野では、レチクル、すなわち目盛り線を蒸着した平面ガラスを対物レンズの結像面に固定した双眼鏡が使用される。
このような双眼鏡は以下のように使用される。
まず、目標物を視野内に捕らえ、目標物と目盛り線とを重ね合わせる。
次に、左右の光学系の視度を調節し、目標物に合焦させる。
その後、目盛り線を読み取り、目標物の大きさ（目標物までの距離がわかっている場合）や目標物までの距離（目標物の大きさがわかっている場合）を検出する。
対物レンズの結像面へレチクルを固定する作業は、遠方の目標物に合焦させたとき、目標物だけでなくレチクルの目盛り線にも合焦するようにレチクルの光軸上の位置を調整した上で行われる。したがって、目標物が遠方にある場合、観察者が視野内で重ね合わせた目標物とレチクルの目盛り線とを同時に合焦させることは比較的容易である（ニコン双眼鏡総合カタログ  ２００６．１１．１６参照）。
しかし、目標物が近くにある場合、観察者の眼の調節力には個人差があるため、観察者が視野内で目標物とレチクルの目盛り線とを同時に合焦させることができず、目標物の大きさや目標物までの距離が測定できないことがある。
本発明はこのような事情に鑑みてなされたもので、その課題は、目標物が近くにある場合でも、視野内の目盛り線を用い目標物の大きさや目標物までの距離の測定ができる双眼鏡を提供することである。
【発明の開示】
【０００３】
上記課題を解決するため、本発明は、対物レンズと接眼レンズとを備えた望遠光学系を各々の内部に保持する一対の鏡筒と、一方の前記望遠光学系の対物レンズと接眼レンズとの間に前記一方の望遠光学系の光軸方向へ移動可能に設けられたレチクルと、回転操作により前記レチクルを前記光軸方向へ移動させ、該レチクルの光軸方向の位置を調節する調節環と、を備えていることを特徴とする。
本発明によれば、目標物が近くにある場合でも、視野内の目盛り線を用い目標物の大きさや目標物までの距離の測定ができる双眼鏡を提供することができる。
【図面の簡単な説明】
【０００４】
図１は第１の実施形態に係る双眼鏡の一部断面図である。
図２は図１の接眼レンズ部近傍を拡大して示す図である。
図３はレチクルの拡大図である。
図４は第２の実施形態に係る双眼鏡の一部断面図である。
図５は図４の接眼レンズ部近傍を拡大して示す図である。
【発明を実施するための最良の形態】
【０００５】
以下、本発明の実施の形態を図面に基づいて説明する。
図１は本発明の第１の実施形態に係る双眼鏡の一部断面図、図２は図１の接眼レンズ部近傍を拡大して示す図、図３はレチクルの拡大図である。
まず、第１の実施形態に係る双眼鏡全体の構成から説明する。
第１の実施形態に係る双眼鏡１００は、連結部４０を介して連結された左右一対の鏡筒１０Ｒ、１０Ｌを備えている。連結部４０は、軸ＭＡを回動中心にして鏡筒１０Ｒ、１０Ｌを折り曲げ、鏡筒１０Ｒと鏡筒１０Ｌとのなす角度を変更できるようになっている。双眼鏡１００は中央繰出し式双眼鏡であり、連結部４０に設けられたピントリング１８を回転することによって第２対物レンズ１３Ｒ、１３Ｌが同時に光軸１１Ｒ、１１Ｌに沿って移動する。光軸１１Ｒおよび光軸１１Ｌは平行である。
次に、鏡筒１０Ｒの構成を説明する。
図１に示すように、鏡筒１０Ｒには光軸１１Ｒに沿って第１対物レンズ１２Ｒ、第２対物レンズ１３Ｒ、プリズム１４Ｒ、接眼レンズ１６Ｒが配置されている。これら第１対物レンズ１２Ｒ、第２対物レンズ１３Ｒ、プリズム１４Ｒ、接眼レンズ１６Ｒによって、鏡筒１０Ｒの望遠光学系が構成されている。
第２対物レンズ１３Ｒは図示しない伝達機構を介してピントリング１８に連結され、ピントリング１８の回転に応じて光軸１１Ｒに沿って移動する。
第１対物レンズ１２Ｒ及びプリズム１４Ｒは本体ボディ１７Ｒに固定されている。本体ボディ１７Ｒの接眼レンズ側１６Ｒ側には、光軸１１Ｒを中心とする接眼筒２０Ｒが固定されている。
図１および図２に示すように、接眼筒２０Ｒの接眼レンズ１６Ｒ側の端部には、目当てゴム２３Ｒを取り付けるための取付環１９Ｒが固定されている。取付環１９Ｒの外周面にはカム環２２Ｒが摺動可能に支持されており、目当てゴム２３Ｒはカム環２２Ｒの外周面に一体的に被せられている。
カム環２２Ｒの周壁には、略周方向へ延びる螺旋状の穴２２Ｒａが形成されている。穴２２Ｒａにはカムビス２１Ｒが挿通され、カムビス２１Ｒの軸部は取付環１９Ｒに固定されている。カムビス２１Ｒは、頭部がカム環２２Ｒの外周面から外方に突出しない寸法となっている。また、カムビス２１Ｒの頭部は穴２２Ｒａの内周面に対して摺動可能に嵌合されている。したがって、カム環２２Ｒが取付環１９Ｒの外周面上を回転すると、カムビス２１Ｒの頭部は螺旋状の穴２２Ｒａに沿って相対移動する。その結果、カム環２２Ｒは光軸１１Ｒを中心にして回転しながら光軸１１Ｒ方向へ移動する。
接眼筒２０Ｒの内周面から取付環１９Ｒの内周面にわたって、接眼レンズ室２５が設けられている。接眼レンズ室２５は、接眼筒２０Ｒの内周面と取付環１９Ｒの内周面とに対して光軸１１Ｒ方向へ移動可能に支持されている。接眼レンズ１６Ｒは、接眼レンズ室２５の取付環１９Ｒ側の端部に固定された押さえ環２４Ｒ内に保持されている。
接眼筒２０Ｒの本体ボディ１７Ｒ側の周壁には、光軸１１Ｒ方向へ延びる直線状の穴２０Ｒａが形成されている。また、接眼筒２０Ｒの本体ボディ１７Ｒ側の外周面には、カム環２６Ｒが回転可能に支持されている。カム環２６Ｒは、後述するように、観察者の左右の眼の視度差を調節するために接眼レンズ１６Ｒの位置を調整するためのものである。カム環２６Ｒの周壁には、略周方向へ延びる螺旋状の穴２６Ｒａが形成されている。接眼筒２０Ｒの直線状穴２０Ｒａと螺旋状の穴２６Ｒａとは径方向に重なってクロスしている。穴２６Ｒａと穴２０Ｒａとの交点にはカムビス２７Ｒが挿通され、カムビス２７Ｒの軸部はカムコマ２８Ｒに固定されている。カムコマ２８Ｒの側面は穴２０Ｒａの内周面と摺動可能となっている。カムコマ２８Ｒの端部は、接眼レンズ室２５の外周面に形成された円形の窪み２５ａに固定されている。また、カムビス２７Ｒは、頭部がカム環２６Ｒの外周面から外方に突出しない寸法になっており、頭部は穴２６Ｒａの内周面に対して摺動可能となっている。
カム環２６Ｒの外周面には環状のゴムが被せられていて、カム環２６Ｒを回転操作するための調節環（以後、視度調節環という）２９を構成している。カム環２６Ｒの外周面には凹凸（例えばローレット目）２６Ｒｃが形成されているので、視度調節環２９とカム環２６Ｒとの間に生じる摩擦力が高まり、視度調節環２９とカム環２６Ｒとは確実に一体的に回転する。
次に、鏡筒１０Ｌの構成を説明する。
図１に示すように、鏡筒１０Ｌには光軸１１Ｌに沿って第１対物レンズ１２Ｌ、第２対物レンズ１３Ｌ、プリズム１４Ｌ、平面ガラス１５、接眼レンズ１６Ｌが配置されている。これら第１対物レンズ１２Ｌ、第２対物レンズ１３Ｌ、プリズム１４Ｌ、平面ガラス１５、接眼レンズ１６Ｌによって、鏡筒１０Ｌの望遠光学系が構成されている。
第２対物レンズ１３Ｌは図示しない伝達機構を介してピントリング１８に連結され、ピントリング１８の回転に応じて光軸１１Ｌに沿って移動する。
第１対物レンズ１２Ｌ及びプリズム１４Ｌは本体ボディ１７Ｌに固定されている。本体ボディ１７Ｌの接眼レンズ１６Ｌ側には、光軸１１Ｌを中心とする接眼筒２０Ｌが固定されている。
図１および図２に示すように、接眼筒２０Ｌの接眼レンズ１６Ｌ側の端部には、目当てゴム２３Ｌを取り付けるための取付環１９Ｌが固定されている。取付環１９Ｌの外周面にはカム環２２Ｌが摺動可能に支持されており、目当てゴム２３Ｌはカム環２２Ｌの外周面に一体的に被せられている。
カム環２２Ｌの周壁には、略周方向へ延びる螺旋状の穴２２Ｌａが形成されている。穴２２Ｌａにはカムビス２１Ｌが挿通され、カムビス２１Ｌの軸部は取付環１９Ｌに固定されている。カムビス２１Ｌは、頭部がカム環２２Ｌの外周面から外方に突出しない寸法となっている。また、カムビス２１Ｌの頭部は穴２２Ｌａの内周面に対して摺動可能に嵌合されている。したがって、カム環２２Ｌが取付環１９Ｌの外周面上を回転すると、カムビス２１Ｌの頭部は螺旋状の穴２２Ｌａに沿って相対移動する。その結果、カム環２２Ｌは光軸１１Ｌを中心にして回転しながら光軸１１Ｌ方向へ移動する。
接眼筒２０Ｌの端部には、接眼レンズ１６Ｌを保持する押さえ環２４Ｌが固定されている。
接眼筒２０Ｌの本体ボディ１７Ｌ側の内周面には、平面ガラス１５を保持するための環状部材（以後、スケール環という）３１が設けられている。スケール環３１は、接眼筒２０Ｌの内周面に対して光軸１１Ｌ方向へ移動可能に支持されている。
スケール環３１の内側にはボルト３１ｂでガラス枠３０が固定されている。ガラス枠３０に平面ガラス１５が取り付けられている。平面ガラス１５には目標物までの距離や目標物の大きさを知るための、例えば図３に示すようなＬ字形の目盛り線（スケール）１５ａが蒸着されている。目盛り線１５ａが蒸着された平面ガラス１５がレチクル３８を構成している。
接眼筒２０Ｌの本体ボディ１７Ｌ側の周壁には、光軸１１Ｌ方向へ延びる直線状の穴２０Ｌａが形成されている。また、接眼筒２０Ｌの本体ボディ１７Ｌ側の外周面には、カム環２６Ｌが回転可能に支持されている。カム環２６Ｌは、後述するように、観察中にレチクル３８の光軸１１Ｌ方向の位置を調整するためのものである。カム環２６Ｌの周壁には、略周方向へ延びる螺旋状の穴２６Ｌａが形成されている。接眼筒２０Ｌの直線状穴２０Ｌａと螺旋状の穴２６Ｌａとは径方向に重なってクロスしている。穴２６Ｌａと穴２０Ｌａとの交点にはカムビス２７Ｌが挿通され、カムビス２７Ｌの軸部はカムコマ２８Ｌに固定されている。カムコマ２８Ｌの外周面は穴２０Ｌａの内周面と摺動可能となっている。カムコマ２８Ｌの端部は、スケール環３１の外周面に形成された円形の窪み３１ａに固定されている。また、カムビス２７Ｌは、頭部がカム環２６Ｌの外周面から外方に突出しない寸法になっており、頭部は穴２６Ｌａの内周面に対して摺動可能となっている。
カム環２６Ｌの外周面には環状のゴムが被せられていて、カム環２６Ｌを回転操作するための調節環（以下、スケール調節環という）３５を構成している。カム環２６Ｌの外周面には凹凸（例えばローレット目）２６Ｌｃが形成されているので、スケール調節環３５とカム環２６Ｌとの間に生じる摩擦力が高まり、スケール調節環３５とカム環２６Ｌとは確実に一体的に回転する。
このように、第１の実施形態においては、視度を調節する機構とレチクル３８の位置を調節する機構とは、それぞれ別の鏡筒に設けられている。このような構成にすることで誤操作を減らすことができる。
次に、上記第１実施の形態に係る双眼鏡１００の使用方法を説明する。
観察に入る前の準備作業として、双眼鏡１００を観察者に適合させるため、目当て繰出し操作、眼幅調節及び視度調節が行われる。
目当て繰出し操作：
目当て繰出し操作は、眼鏡を装用しない観察者のための操作であり、目当てゴム２３Ｒ、２３Ｌに顔を押し当てたとき、接眼レンズと眼との距離を最適に保ち、かつ眼に外乱光が入らないようにするためのものである。まつげも接眼レンズ１６Ｒ、１６Ｌの押さえ環２４Ｒ、２４Ｌに当たらなくなる。
目当てゴム２３Ｒ、２３Ｌを指でつまんで回転させると、目当てゴム２３Ｒ、２３Ｌとそれぞれ一体のカム環２２Ｒ、２２Ｌが取付環１９Ｒ、１９Ｌの外周面上を回転する。取付環１９Ｒ、１９Ｌにそれぞれ固定されたカムビス２１Ｒ、２１Ｌの頭部はそれぞれ螺旋状の穴２２Ｒａ、２２Ｌａに沿って相対移動する。その結果、目当てゴム２３Ｒ、２３Ｌ及びカム環２２Ｒ、２２Ｌが光軸１１Ｒ、１１Ｌを中心として回転しながら繰り出される。
眼幅調節：
眼幅調節は、右の鏡筒１０Ｒの光学系を通して見た右眼の視界と、左の鏡筒１０Ｌの光学系を通して見た左眼の視界とをひとつに重ね合わせる操作である。
左右の鏡筒１０Ｒ、１０Ｌを連結部４０の軸ＭＡを中心として折り曲げ、左右の鏡筒１０Ｒ、１０Ｌのなす角度を変える。
視度調節：
視度調節は、左右の眼の視度の差を調節する操作である。
視度調節環２９を回転させると、視度調節環２９と一体となっているカム環２６Ｒが接眼筒２０Ｒの外周上を回転する。このとき、カム環２６Ｒの螺旋状の穴２６Ｒａおよび接眼筒２０Ｒの直線状の穴２０Ｒａとの交点は、視度調節環２９の回転角度によって、直線状の穴２０Ｒａに沿って光軸１１Ｒ方向、すなわち対物レンズ１２Ｒ側或いは接眼レンズ１６Ｒ側へ移動する。これに伴い、穴２６Ｒａと穴２０Ｒａとの交点に挿通されたカムビス２７Ｒおよびカムビス２７Ｒが固定されたカムコマ２８Ｒも穴２０Ｒａに沿って光軸１１Ｒ方向、つまり対物レンズ１２Ｒ側或いは接眼レンズ１６Ｒ側へ移動する。カムコマ２８Ｒが光軸１１Ｒ方向に移動すれば、カムコマ２８Ｒが固定されている接眼レンズ室２５も光軸１１Ｒ方向に直線摺動し、接眼レンズ１６Ｒの位置を調節することが可能となる。
以上準備作業が終了後、観察が開始される。
まず、ピントリング１８を回転させ、対物レンズ１３Ｒ及び対物レンズ１３Ｌをそれぞれ光軸１１Ｒ及び光軸１１Ｌ方向へ移動させる。対物レンズ１２Ｒ、１２Ｌ及び対物レンズ１３Ｒ、１３Ｌによる合成視度を調節し、目標物に両眼を合焦させる。
このとき、対物レンズ１２Ｒ及び対物レンズ１３Ｒの合成焦点距離が変化するとともに、対物レンズ１２Ｌ及び対物レンズ１３Ｌの合成焦点距離が変化し、結像面３６Ｒ、３６Ｌも光軸１１Ｒ、１１Ｌ方向へ移動する。対物レンズ１２Ｌ及び対物レンズ１３Ｌの合成焦点距離が変化し、結像面３６Ｌが光軸１１Ｌに沿って移動すると、レチクル３８に蒸着された目盛り線１５ａに左眼を合焦させることができなくなる。これに対し、移動した結像面３６Ｌの位置へレチクル３８の目盛り線１５ａを移動させれば、目盛り線１５ａに左眼を再び合焦させることができる。そこで、スケール調節環３５を回転させる。
スケール調節環３５を回転させると、スケール調節環３５と一体化しているカム環２６Ｌが接眼筒２０Ｌの外周上を回転する。このとき、カム環２６Ｌの螺旋状の穴２６Ｌａおよび接眼筒２０Ｌの直線状の穴２０Ｌａとの交点は、スケール調節環３５の回転角度によって、直線状の穴２０Ｌａに沿って光軸１１Ｒ方向、すなわち対物レンズ１２Ｌ側或いは接眼レンズ１６Ｌ側へ移動する。これに伴い、穴２６Ｌａと穴２０Ｌａとの交点に挿通されたカムビス２７Ｌおよびカムビス２７Ｌが固定されたカムコマ２８Ｌも穴２０Ｌａに沿って光軸１１Ｒ方向、つまり対物レンズ１２Ｌ側或いは接眼レンズ１６Ｌ側へ移動する。カムコマ２８Ｌが光軸１１Ｌ方向に移動すれば、カムコマ２８Ｌが固定されているスケール環３１も光軸１１Ｌ方向に直線摺動し、レチクル３８の光軸１１Ｌ方向の位置を調整することができる。その結果、観察者は視野内で目標物と目盛り線１５ａとに同時に左眼を合焦させることができる。
このように、第１の実施形態によれば、目盛り線１５ａが蒸着されたレチクル３８を対物レンズ１２Ｌと対物レンズ１３Ｌとの合焦位置に移動させることができる。また、レチクル３８はスケール調節環３５を回転させることにより、ピントリング１８および視度調節機構とは切り離して、単独で光軸１１Ｌに沿って移動させることができる。その結果、目標物が近くにある場合でも、視野内に目盛り線１５ａと目標物とを同時に合焦させることができる。
また、このようにレチクル３８を単独で移動させることができる構成とすることで、本実施形態は次のような使用方法もできる。すなわち、視野内に目盛り線１５ａの必要がないときは、左眼が目盛り線１５ａと合焦しない位置に平面ガラス１５レチクル３８を移動させる。こうすることで、視野内に目盛り線１５ａがない状態で目標物を観察をすることができる。
このように本実施形態では、レチクル３８の位置を視野内に目盛り線１５ａが見える状態となる位置と、見えない状態となる位置との何れの位置にも調節することが可能となっている。こうして、観察者は必要に応じて好みの視野の状態で目標物を観察することができる。
次に、本発明の第２の実施形態について説明する。第２の実施形態は、第１の実施形態と同様の構成については同じ符号を用いて説明する。
図４はこの発明の第２の実施形態に係る双眼鏡の一部断面図、図５は図４の接眼レンズ部近傍を拡大して示す図である。
まず、第２の実施形態に係る双眼鏡の全体の構成から説明する。
第２の実施形態に係る双眼鏡２００は、第１の実施形態と同様に、連結部４０を介して連結された鏡筒１０Ｒ、１０Ｌを備えている。連結部４０は、軸ＭＡを回転中心にして鏡筒１０Ｒ、１０Ｌを折り曲げ、鏡筒１０Ｒと鏡筒１０Ｌとのなす角度を変更できるようになっている。双眼鏡２００は中央繰出し式双眼鏡であり、連結部４０に設けられたピントリング１８を回転させることによって第２対物レンズ１３Ｒ、１３Ｌが同時に光軸１１Ｒ、１１Ｌに沿って移動する。光軸１１Ｒおよび光軸１１Ｌは平行である。
次に、鏡筒１０Ｒの構成を説明する。
図４に示すように、鏡筒１０Ｒには光軸１１Ｒに沿って第１対物レンズ１２Ｒ、第２対物レンズ１３Ｒ、プリズム１４Ｒ、平面ガラス１５、接眼レンズ１６Ｒが配置されている。これら第１対物レンズ１２Ｒ、第２対物レンズ１３Ｒ、プリズム１４Ｒ、平面ガラス１５、接眼レンズ１６Ｒによって、鏡筒１０Ｒの望遠光学系が構成されている。
第２対物レンズ１３Ｒは図示しない伝達機構を介してピントリング１８に連結され、ピントリング１８の回転に応じて光軸１１Ｒに沿って移動する。
第１対物レンズ１２Ｒ及びプリズム１４Ｒは本体ボディ１７Ｒに固定されている。本体ボディ１７Ｒの接眼レンズ１６Ｒ側には、光軸１１Ｒを中心とする接眼筒２０Ｒが固定されている。
図４および図５に示すように、接眼筒２０Ｒの接眼レンズ１６Ｒ側の端部には、目当てゴム２３Ｒを取り付けるための取付環１９Ｒが固定されている。取付環１９Ｒの外周面にはカム環２２Ｒが摺動可能に支持されており、目当てゴム２３Ｒはカム環２２Ｒの外周面に一体的に被せられている。
カム環２２Ｒの周壁には、略周方向へ延びる螺旋状の穴２２Ｒａが形成されている。穴２２Ｒａにはカムビス２１Ｒが挿通され、カムビス２１Ｒの軸部は取付環１９Ｒに固定されている。カムビス２１Ｒは、頭部がカム環２２Ｒの外周面から外方に突出しない寸法となっている。また、カムビス２１Ｒの頭部は穴２２Ｒａの内周面に対して摺動可能となっている。したがって、カム環２２Ｒが取付環１９Ｒの外周面上を回転すると、カムビス２１Ｒの頭部は螺旋状の穴２２Ｒａに沿って相対移動する。その結果、カム環２２Ｒは光軸１１Ｒを中心にして回転しながら光軸１１Ｒ方向へ移動する。
接眼筒２０Ｒの光軸１１Ｒ方向で中央部近傍の内周面から取付環１９Ｒの内周面にわたって、接眼レンズ室２５が設けられている。接眼レンズ室２５は、接眼筒２０Ｒの内周面と取付環１９Ｒの内周面とに対して光軸１１Ｒに沿って移動可能に支持されている。接眼レンズ１６Ｒは、接眼レンズ室２５の取付環１９Ｒ側の端部に固定された押さえ環２４Ｒ内に保持されている。
接眼筒２０Ｒの光軸１１Ｒ方向で中央部近傍の周壁には、光軸１１Ｒ方向へ延びる直線状の穴２０Ｒａが形成されている。また、接眼筒２０Ｒの当該中央部近傍の外周面には、カム環２６が回転可能に支持されている。カム環２６は、観察者の左右の眼の視度差を調節するために接眼レンズ１６Ｒの位置を調整するためのものである。カム環２６には、接眼筒２０Ｒの直線状穴２０Ｒａと径方向に重なってクロスする螺旋状の穴２６ａが形成されている。穴２６ａと穴２０Ｒａとの交点にはカムビス２７が挿通され、カムビス２７の軸部はカムコマ２８に固定されている。カムコマ２８の側面は穴２０Ｒａの内周面と摺動可能となっている。カムコマ２８の端部は、接眼レンズ室２５の外周面に形成された円形の窪み２５ａに固定されている。また、カムビス２７は、頭部がカム環２６の外周面から外方に突出しない寸法になっており、頭部は穴２６ａの内周面に対して摺動可能となっている。
カム環２６の外周面には環状のゴムが被せられていていて、カム環２６を回転操作するための調節環（以後、視度調節環という）２９を構成している。カム環２６の外周面には凹凸（例えばローレット目）２６ｃが形成されているので、視度調節環２９とカム環２６との間に生じる摩擦力が高まり、視度調節環２９とカム環２６とは確実に一体的に回転する。
接眼筒２０Ｒの本体ボディ１７Ｒ側の内周面には、平面ガラス１５を保持するための環状部材（以下、スケール環という）３１が設けられている。スケール環３１は、接眼筒２０Ｒの内周面に対して光軸１１Ｒ方向へ移動可能に支持されている。
スケール環３１の内側にはボルト３１ｂでガラス枠３０が固定されている。ガラス枠３０に平面ガラス１５が取り付けられている。平面ガラス１５には目標物までの距離や目標物の大きさを知るための、例えば図３に示すように、Ｌ字形に目盛り線（スケール）１５ａが蒸着されている。目盛り線１５ａが蒸着された平面ガラス１５がレチクル３８を構成している。
接眼筒２０Ｒの本体ボディ１７Ｒ側の周壁には、光軸１１Ｌ方向へ延びる直線状の穴２０Ｒｂが形成されている。また、接眼筒２０Ｒの本体ボディ１７Ｒ側の外周面には、カム環３２が回転可能に支持されている。カム環３２は、後述するように、観察中にレチクル３８の光軸１１Ｒ方向の位置を調整するためのものである。カム環３２には、接眼筒２０Ｒの直線状穴２０Ｒｂと径方向に重ってクロスする螺旋状の穴３２ａが形成されている。穴２０Ｒｂと穴３２ａとの交点にはカムビス３３が挿通され、カムビス３３の軸部はカムコマ３４に固定されている。カムコマ３４の側面は穴２０Ｒｂの内周面と摺動可能となっている。カムコマ３４の端部は、スケール環３１の外周面に形成された円形の窪み３１ａに固定されている。また、カムビス３３は、頭部がカム環３２の外周面から外方に突出しない寸法になっており、頭部は穴２０Ｒｂの内周面に対して摺動可能となっている。
カム環３２の外周面には環状のゴムが被せられていていて、カム環３２を回転操作するための調節環（以下、スケール調節環という）３５を構成している。カム環３２の外周面には凹凸（例えばローレット目）３２ｃが形成されているので、スケール調節環３５とカム環３２との間に生じる摩擦力が高まり、スケール調節環３５とカム環３２とは確実に一体的に回転する。
このように、第２の実施形態においては、視度を調節する機構とレチクル３８の位置を調節する機構とが同じ鏡筒（本実施形態では鏡筒１０Ｒ）に設けられている。このように、レチクル３８の位置を調節する機構は、視度を調節する機構と同じ鏡筒に設けることもできる。
次に、鏡筒１０Ｌの構成を説明する。
図４に示すように、鏡筒１０Ｌには光軸１１Ｌに沿って第１対物レンズ１２Ｌ、第２対物レンズ１３Ｌ、プリズム１４Ｌ、接眼レンズ１６Ｌが配置されている。これら第１対物レンズ１２Ｌ、第２対物レンズ１３Ｌ、プリズム１４Ｌ、接眼レンズ１６Ｌによって、鏡筒１０Ｌの望遠光学系が構成されている。
第２対物レンズ１３Ｌは図示しない伝達機構を介してピントリング１８に連結され、ピントリング１８の回転に応じて光軸１１Ｌに沿って移動する。
第１対物レンズ１２Ｌ及びプリズム１４Ｌは本体ボディ１７Ｌに固定されている。本体ボディ１７Ｌの接眼レンズ１６Ｌ側には、光軸１１Ｌを中心とする接眼筒２０Ｌが固定されている。
図４および図５に示すように、接眼筒２０Ｌの接眼レンズ１６Ｌ側の端部には、目当てゴム２３Ｌを取り付けるための取付環１９Ｌが固定されている。取付環１９Ｌの外周面にはカム環２２Ｌが摺動可能に支持されており、目当てゴム２３Ｌはカム環２２Ｌの外周面に一体的に被せられている。
カム環２２Ｌの周壁には、略周方向へ延びる螺旋状の穴２２Ｌａが形成されている。穴２２Ｌａにはカムビス２１Ｌが挿通され、カムビス２１Ｌの軸部は取付環１９Ｌに固定されている。カムビス２１Ｌは、頭部がカム環２２Ｌの外周面から外方に突出しない寸法となっている。また、カムビス２１Ｌの頭部は穴２２Ｌａの内周面に対して摺動可能となっている。したがって、カム環２２Ｌが取付環１９Ｌの外周面上を回転すると、カムビス２１Ｌの頭部は螺旋状の穴２２Ｌａに沿って相対移動する。その結果、カム環２２Ｌは光軸１１Ｌを中心にして回転しながら光軸１１Ｌ方向へ移動する。
接眼筒２０Ｌの端部には、接眼レンズ１６Ｌを保持する押さえ環２４Ｌが固定されている。
次に、上記第２実施の形態に係る双眼鏡２００の使用方法を説明する。
観察に入る前の準備作業として、双眼鏡２００を観察者に適合させるため、目当て繰出し操作、眼幅調節及び視度調節が行われる。これらの操作は第１の実施形態と同様であるが、第２実施形態においては、視度調節をするための視度調節環２９が右の鏡筒１０Ｒに設けられている。
準備を完了したら観察に入る。双眼鏡使用者はピントリング１８を回転操作し、第２対物レンズ１３Ｌおよび１３Ｒを光軸１１Ｌおよび１１Ｒに沿って直線摺動させ、第１対物レンズ１２Ｌ、１２Ｒおよび第２対物レンズ１３Ｌ、１３Ｒによる合成視度を調節し、目標物に両眼を合焦させる。
このとき、対物レンズ１２Ｒ及び対物レンズ１３Ｒの合成焦点距離が変化するとともに、対物レンズ１２Ｌ及び対物レンズ１３Ｌの合成焦点距離が変化し、結像面３６Ｒ、３６Ｌも光軸１１Ｒ、１１Ｌ方向へ移動する。結像面３６Ｒ、３６Ｌが移動すると、鏡筒１０Ｌ側の結像面３６Ｌには光学系要素は無いので特に問題はないが、レチクル３８の目盛り線１５ａに右眼を合焦させることができなくなる。これに対して、移動した結像面３６Ｒの位置へレチクル３８の目盛り線１５ａの蒸着面を移動させれば、再び目盛り線１５ａに右眼を合焦させることが出来ることとなる。そこで、スケール調節環３５を回転操作する。
スケール調節環３５を回転操作すると、スケール調節環３５と一体となっているカム環３２が接眼筒２０Ｒの外周上を回転する。カム環３２の螺旋状の穴３２ａおよび接眼筒２０Ｒの直線状の穴２０Ｒｂとの交点は、スケール調整環３５の回転角度によって、直線状の穴２０Ｒｂに沿って光軸１１Ｒ方向、すなわち対物レンズ１２Ｒ側或いは接眼レンズ１６Ｒ側へ移動する。これに伴い、穴３２ａと穴２０Ｒｂとの交点に挿通されたカムビス３３およびカムビス３３が固定されたカムコマ３４も穴２０Ｒｂに沿って光軸１１Ｒ方向、つまり対物レンズ１２Ｒ側或いは接眼レンズ１６Ｒ側へ移動する。カムコマ３４が光軸１１Ｒ方向に移動すれば、カムコマ３４が固定されているスケール環３１も光軸１１Ｒ方向に直線摺動し、レチクル３８の位置を調節することが可能となる。その結果、観察者は視野内で目標物とレチクル３８の目盛り線１５ａとに同時に右眼を合焦させることができる。
このように、第２の実施形態においても、第１の実施形態と同様に、目盛り線１５ａが蒸着されたレチクル３８を対物レンズ１２Ｒと対物レンズ１３Ｒとの合焦位置に移動させることができる。また、レチクル３８はスケール調節環３５を回転させることにより、ピントリング１８および視度調節機構とは切り離して、単独で移動させることができる。その結果、目標物が近くにある場合でも、視野内に目盛り線１５ａと目標物とを同時に合焦させることができる。
また、レチクル３８を単独で移動させることができる構成とすることで、本実施形態は次のような使用方法もできる。すなわち、視野内に目盛り線１５ａの必要がないときは、右眼が目盛り線１５ａと合焦しない位置にレチクル３８を移動させる。こうすることで、視野内に目盛り線１５ａがない状態で観察をすることができる。第２の実施形態においても、第１の実施形態と同様に、レチクル３８の位置を視野内に目盛り線１５ａが見える状態となる位置と、見えない状態となる位置との何れの位置にも調節することができる構成となっている。こうして、観察者は必要に応じて好みの視野の状態で目標物を観察することができる。
なお、上記各実施形態では左右一対の鏡筒を有する双眼鏡で本発明を説明したが、単眼鏡である望遠鏡の鏡筒の対物レンズと接眼レンズとの間に光軸方向へ移動可能なレチクルを設け、目標物に眼を合焦させる際にレチクルを移動させるようにしてもよい。また、目盛り線は針金等で目盛りを形成したものでもよい。
このように、本発明は上記各実施形態に限定されるものではなく、適宜変更が可能である。
【図１】
2009041225.tif 000003
【図２】
2009041225.tif 000004
【図３】
2009041225.tif 000005
【図４】
2009041225.tif 000006
【図５】
2009041225.tif 000007
【国際調査報告】
2009041225.tif 000008
2009041225.tif 000009